(57)【要約】【課題】マスターおよびスレーブ設定された２つのスロットの内、１つのスロットのみにデジタルＴＶチューナーを接続する場合に、両方のスロットにデジタルＴＶチューナーを接続することが可能な情報処理装置および設定制御方法を提供する。【解決手段】ＳｌｏｔＡ２０１およびＳｌｏｔＢ２０２のいずれか一方のスロットに地上デジタルチューナーボード２０３または２０４が装着されたことを検出した場合は、ユニットの装着が検出されたスロットの動作モードを、シングル動作モードに設定する。【選択図】      図２
2008287664.tif 000002
【特許請求の範囲】
【請求項１】
ボードを装着可能な第１および第２のスロットを有する情報処理装置であって、
前記スロットをマスタモードまたはスレーブモードとして動作させる第１の動作モードと、前記スロットをシングルモードとして動作させる第２の動作モードとを有し、
前記第１のスロットまたは第２のスロットにボードが装着されたことを検出する検出手段と、
前記検出手段によって、前記第１のスロットまたは前記第２のスロットいずれか一方にボードが装着されたことを検出した場合は、前記ボードの装着が検出された前記スロットの動作モードを、前記シングルモードに設定する設定手段と、
を具備することを特徴とする情報処理装置。
【請求項２】
前記スロットの動作モード設定用信号を出力する設定信号出力部を具備することを特徴とする請求項１に記載の情報処理装置。
【請求項３】
前記第１のスロットまたは前記第２のスロットにボードが装着されたことを検出した時、検出信号を出力する検出信号出力部と、前記検出信号出力部により出力された検出信号に基づいて、前記スロットに対して前記スロットの動作モード設定用信号を出力する設定信号出力部を具備することを特徴とする請求項１に記載の情報処理装置。
【請求項４】
第１のスロットおよび第２のスロット同士の通信を行うための通信用信号出力部を具備することを特徴とする請求項３に記載の情報処理装置。
【請求項５】
ボードを装着可能な第１および第２のスロットを備え、前記スロットをマスタモードまたはスレーブモードとして動作させる第１の動作モードと、前記スロットをシングルモードとして動作させる第２の動作モードとを有する情報処理装置の制御方法であって、
前記第１のスロットまたは第２のスロットにボードが装着されたことを検出し、
前記第１のスロットまたは前記第２のスロットいずれか一方にボードが装着されたことを検出した時は、前記ボードの装着が検出された前記スロットの動作モードを、前記シングルモードに設定することを特徴とする情報処理装置の制御方法。
【請求項６】
前記第１のスロットまたは前記第２のスロットにボードが装着されたことを検出した時、検出信号を出力し、
前記出力された検出信号に基づいて、前記スロットに対して前記スロットの動作モード設定用信号を出力することを特徴とする請求項５に記載の情報処理装置の制御方法。
【発明の詳細な説明】
【技術分野】
【０００１】
本発明はパーソナルコンピュータのような情報処理装置に関し、特にデジタルチューナーユニットを２つ搭載可能な情報処理装置および同装置で用いられる制御方法に関する。
【背景技術】
【０００２】
パーソナルコンピュータでは、情報処理機能に加えて音楽や動画の再生なども可能となっており、特許文献１には、ＴＶチューナーを備えたパーソナルコンピュータによってテレビ放送を視聴する技術が開示されている（特許文献１参照）。また、最近では、地上デジタル放送に対応したデジタルＴＶチューナーが搭載されるものが増えてきており、デジタルＴＶチューナースロットを２つ備え、デジタルＴＶチューナーを２つ搭載可能なパーソナルコンピュータも利用されている。
【特許文献１】特開平９−６９７９５号公報
【発明の開示】
【発明が解決しようとする課題】
【０００３】
デジタルＴＶチューナースロットを２つ備えたパーソナルコンピュータでは、通常２つのスロットにはマスターとスレーブの設定がされている。このため、２つのスロットの内、１つのスロットのみにデジタルＴＶチューナーを接続する場合には、必ずマスター設定されたスロットに接続する必要があり、デジタルＴＶチューナーの接続の自由度に乏しいという課題があった。
【０００４】
本発明は上述の事情を考慮してなされたものであり、マスターおよびスレーブ設定された２つのスロットの内、１つのスロットのみにデジタルＴＶチューナーを接続する場合に、両方のスロットにデジタルＴＶチューナーを接続することが可能な情報処理装置を提供することを目的とする。
【課題を解決するための手段】
【０００５】
上記目的を達成するために、本発明の一態様によれば、ボードを装着可能な第１および第２のスロットを有する情報処理装置であって、前記スロットをマスタモードまたはスレーブモードとして動作させる第１の動作モードと、前記スロットをシングルモードとして動作させる第２の動作モードとを有し、前記第１のスロットまたは第２のスロットにボードが装着されたことを検出する検出手段と、前記検出手段によって、前記第１のスロットまたは前記第２のスロットいずれか一方にボードが装着されたことを検出した場合は、前記ボードの装着が検出された前記スロットの動作モードを、前記シングルモードに設定する設定手段と、を具備することを特徴とする情報処理装置が提供される。
【０００６】
本発明の一態様によれば、ボードを装着可能な第１および第２のスロットを備え、前記スロットをマスタモードまたはスレーブモードとして動作させる第１の動作モードと、前記スロットをシングルモードとして動作させる第２の動作モードとを有する情報処理装置の制御方法であって、前記第１のスロットまたは第２のスロットにボードが装着されたことを検出し、前記第１のスロットまたは前記第２のスロットいずれか一方にボードが装着されたことを検出した時は、前記ボードの装着が検出された前記スロットの動作モードを、前記シングルモードに設定することを特徴とする情報処理装置の制御方法が提供される。
【発明の効果】
【０００７】
本発明によれば、マスターおよびスレーブ設定された２つのスロットの内、１つのスロットのみにデジタルＴＶチューナーを接続する場合に、両方のスロットにデジタルＴＶチューナーを接続することが可能となる。
【発明を実施するための最良の形態】
【０００８】
以下、図面を参照して、本発明の実施形態を説明する。  
まず、図１および図２を参照して、本発明の一実施形態に係る情報処理装置の構成について説明する。この情報処理装置は、例えば、ノートブック型パーソナルコンピュータ１０として実現されている。
【０００９】
図１はノートブック型パーソナルコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置されている。
【００１０】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ、１８Ｂ、赤外線受信部２０などが配置されている。
【００１１】
入力操作パネル１５は、押されたボタンに対応するイベントを入力する入力装置であり、複数の機能をそれぞれ起動するための複数のボタンを備えている。
【００１２】
次に、図２を参照して、本コンピュータ１０のシステム構成について説明する。
【００１３】
本コンピュータ１０は、図２に示されているように、ＣＰＵ１１１、ノースブリッジ１１２、主メモリ１１３、サウスブリッジ１１５、グラフィクスコントローラ１１４、ＢＩＯＳ−ＲＯＭ１０９、ネットワークコントローラ１１７、ハードディスクドライブ（ＨＤＤ）１１６、エンベデッドコントローラ／キーボードコントローラＩＣ（ＥＣ／ＫＢＣ）１１９、Ｂ−ＣＡＳ（BS-Conditional Access Systems）ユニット２００、ＳｌｏｔＡ２０１、ＳｌｏｔＢ２０２、動作モード設定回路２０５、および地上デジタルチューナーボード２０３、２０４等を備えている。
【００１４】
ＣＰＵ１１１は本コンピュータ１０の動作を制御するプロセッサであり、ハードディスクドライブ（ＨＤＤ）１１６から主メモリ１１３にロードされる、オペレーティングシステム、および各種アプリケーション等を実行する。また、ＣＰＵ１１１は、ＢＩＯＳ−ＲＯＭ１０９に格納されたＢＩＯＳ（Basic Input Output System）も実行する。ＢＩＯＳはハードウェア制御のためのプログラムである。
【００１５】
ノースブリッジ１１２はＣＰＵ１１１のローカルバスとサウスブリッジ１１５との間を接続するブリッジデバイスである。ノースブリッジ１１２には、主メモリ１１３をアクセス制御するメモリコントローラも内蔵されている。また、ノースブリッジ１１２は、ＰＣＩ  ＥＸＰＲＥＳＳ規格のシリアルバスなどを介してグラフィックスコントローラ１１４との通信を実行する機能も有している。
【００１６】
グラフィックスコントローラ１１４は本コンピュータ１０のディスプレイモニタとして使用されるＬＣＤ１７を制御する表示コントローラである。このグラフィックスコントローラ１１４によって生成される表示信号はＬＣＤ１７に送られる。
【００１７】
サウスブリッジ１１５は、ＬＰＣ（Ｌｏｗ Pin Count）バス上の各デバイス、およびＰＣＩ（Peripheral Component Interconnect）バス上の各デバイスを制御する。また、サウスブリッジ１１５は、ＨＤＤ１１６を制御するためのＩＤＥ（Integrated Drive Electronics）コントローラを内蔵している。
【００１８】
エンベデッドコントローラ／キーボードコントローラＩＣ（ＥＣ／ＫＢＣ）１１９は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１９は、ユーザーによるパワーボタン１４の操作に応じて本コンピュータ１０をパワーオン／パワーオフする機能を有している。
【００１９】
Ｂ−ＣＡＳユニット２００は、デジタル地上波のスクランブルの解除を行うユニットであり、Ｂ−ＣＡＳカードが挿入される。ＳｌｏｔＡ２０１、ＳｌｏｔＢ２０２は、PCIバス、Ｂ−ＣＡＳユニット２００、動作モード設定回路２０５に接続されており、地上デジタルチューナーボード２０３、２０４等を接続するスロットである。動作モード設定回路２０５は、ＳｌｏｔＡ２０１およびＳｌｏｔＢ２０２に地上デジタルチューナーボードが１つまたは２つ接続された場合に、地上デジタルチューナーボードの接続を検出し、どちらのスロットに地上デジタルチューナーボードが接続された場合でも、接続された地上デジタルチューナーボードを使用可能にするための回路である。
【００２０】
次に図３は、本発明の情報処理装置の実施形態に係る動作モード設定回路および各スロットの構成を示した模式図である。
【００２１】
ＳｌｏｔＡ２０１およびＳｌｏｔＢ２０２は、例えばマスター（Ｍａｓｔｅｒ）、およびスレーブ（Ｓｌａｖｅ）として設定されている。構成は、ＳｌｏｔＡ２０１およびＳｌｏｔＢ２０２とも同じ構成である。すなわち、モード（Mode）設定用信号１および０を出力する出力部と、ＤＥＴ（Detection）信号を出力する出力部と、ＳｌｏｔＡ２０１およびＳｌｏｔＢ２０２同士の通信を行うための通信用信号出力部とを備えている。
【００２２】
動作モード設定回路２０５は、ＳｌｏｔＡ２０１およびＳｌｏｔＢ２０２から出力されたＤＥＴ信号を検出し、各スロットに接続された地上デジタルチューナーボードを検出する。
【００２３】
ＳｌｏｔＡ２０１から出力されたＤＥＴ信号（ＤＥＴ＿Ａ）の入力と、ＳｌｏｔＢ２０２から出力されたＤＥＴ信号（ＤＥＴ＿Ｂ）の入力とをＮＯＲ回路に入力する。ＮＯＲ回路からは、信号ＮＯＲ＿ＯＵＴが出力される。また、ＳｌｏｔＡ２０１から出力されたモード設定信号１は、ＳｌｏｔＢ２０２から出力されたモード設定信号０と接続され、ＳｌｏｔＡ２０１から出力されたモード設定信号０は、ＳｌｏｔＢ２０２から出力されたモード設定信号１と接続される。なお、通信用信号は、ＳｌｏｔＡ２０１およびＳｌｏｔＢ２０２同士が各種の情報を共有するために送信する信号である。
【００２４】
ＳｌｏｔＡ２０１をＭａｓｔｅｒ、ＳｌｏｔＢ２０２をＳｌａｖｅとする場合、Ｍａｓｔｅｒ側のモード設定用信号１をＳｌａｖｅ側のモード設定用信号０に、Ｍａｓｔｅｒ側のモード設定用信号０をＳｌａｖｅ側のモード設定用信号１に接続し、各信号はプルダウンする。
【００２５】
ＳｌｏｔＡ２０１のＤＥＴ信号ＤＥＴ＿Ａ、ＳｌｏｔＢ２０２のＤＥＴ信号ＤＥＴ＿Ｂの各信号は、動作モード設定回路でプルアップされＮＯＲゲートに入力される。ＮＯＲゲートの出力はＭａｓｔｅｒのモード設定用信号１に接続される（モード設定用信号１のプルダウン抵抗値Ｒ＿Ｍｏｄｅ１はＮＯＲゲートとモード設定用信号値１間の抵抗値Ｒ＿ＮＯＲ＿ＯＵＴより十分大きい値)。各スロットに地上デジタルテレビチューナユニットが実装される組み合わせと各スロットに実装されたユニットのモード設定用信号[１:０]の対応は図４に示すとおりになる。
【００２６】
地上デジタルテレビチューナユニット（地上デジタルテレビチューナボード）から出力される各信号と、動作モードについて、図４および図５を参照して説明する。なお、地上デジタルテレビチューナユニットの動作モードは、上述した「マスター」および「スレーブ」以外にも「シングル」がある。「シングル」モードは、通常、１つのスロットしか備えていない場合の動作モードである。本実施形態では、「スレーブ」側に１つしか地上デジタルテレビチューナボードが接続されていない場合でも、「シングル」モードに設定することにより、「スレーブ」側の１つの地上デジタルテレビチューナボードのみで使用可能とする。
【００２７】
地上デジタルテレビチューナボード（地上デジタルテレビチューナユニット）２０３、２０４は、Ｆ／Ｗ（ファームウェア）起動直後にモード設定用信号[１:０]を読み、自身のModeをマスター/スレーブ/シングルに設定する。モード設定用信号[１:０]と動作Modeの組み合わせは、図４に示すようになっている。すなわち、モード設定用信号が１１ｂであれば動作禁止モード、モード設定用信号が１０ｂであればマスターモード、モード設定用信号が０１ｂであればスレーブモード、モード設定用信号が００ｂであればシングルモードである。
【００２８】
次に、図５は、ＳｌｏｔＡ２０１、ＳｌｏｔＢ２０２に地上デジタルテレビチューナボードが接続された場合のＮＯＲゲート出力、ＳｌｏｔＡ２０１およびＳｌｏｔＢ２０２のモード設定用信号[１:０]の出力について示した模式図である。
【００２９】
ＳｌｏｔＡ２０１およびＳｌｏｔＢ２０２に地上デジタルテレビチューナボードが接続された場合は、ＮＯＲゲート出力はＨｉｇｈ（１ｂ）、ＳｌｏｔＡ２０１およびＳｌｏｔＢ２０２のモード設定用信号[１:０]の出力はそれぞれ１０ｂ（Ｍａｓｔｅｒ）、０１ｂ（Ｓｌａｖｅ）となる。また、ＳｌｏｔＡ２０１に地上デジタルテレビチューナボードが接続され、ＳｌｏｔＢ２０２に地上デジタルテレビチューナボードが接続されていない場合は、ＮＯＲゲート出力はＬｏｗ（０ｂ）、ＳｌｏｔＡ２０１のモード設定用信号[１:０]の出力は００ｂ（Single）となる。この場合、ＳｌｏｔＢ２０２からは、モード設定用信号[１:０]は出力されない。また、ＳｌｏｔＡ２０１に地上デジタルテレビチューナボードが接続されず、ＳｌｏｔＢ２０２に地上デジタルテレビチューナボードが接続されている場合は、ＮＯＲゲート出力はＬｏｗ（０ｂ）、ＳｌｏｔＢ２０２のモード設定用信号[１:０]の出力は００ｂ（Single）となる。この場合、ＳｌｏｔＡ２０１からは、モード設定用信号[１:０]は出力されない。ＳｌｏｔＡ２０１およびＳｌｏｔＢ２０２に地上デジタルテレビチューナボードが接続されていない場合は、ＮＯＲゲート出力はＬｏｗ（０ｂ）、ＳｌｏｔＡ２０１およびＳｌｏｔＢ２０２からは、モード設定用信号[１:０]は出力されない。
【００３０】
この動作モード設定回路２０５によって、２つの地上デジタルテレビチューナユニットが実装された場合は、ＮＯＲゲート出力はＨｉｇｈとなりＭａｓｔｅｒのモード設定用信号１（Ｓｌａｖｅのモード設定用信号０)はＨｉｇｈとなる。ＳｌｏｔＡ２０１のチューナユニットはモード設定用信号[１:０]=１０ｂとなりマスターに設定され、ＳｌｏｔＢ２０２のチューナユニットはモード設定用信号[１:０]=０１ｂとなりスレーブに設定される。また、チューナユニットがＳｌｏｔＡ２０１又はＳｌｏｔＢ２０２のどちらか一方にしか実装されない場合はＮＯＲゲート出力はＬｏｗとなり、ＳｌｏｔＡ２０１又はＳｌｏｔＢ２０２に実装されたチューナユニットのモード設定用信号[１:０]=００ｂとなりシングル動作Modeに設定されシングルとして動作する。
【００３１】
次に、図６のフローチャートを参照して、本発明の実施形態に係る情報処理装置を適用した設定制御方法について説明する。
【００３２】
最初に、パーソナルコンピュータ１０が起動する（ステップＳ１０１）。パーソナルコンピュータ１０のＣＰＵ１０１は、地上デジタルテレビチューナボード２０３、２０４の各デバイスに対し、Ｆ／Ｗ起動直後にモード設定用信号[１:０]の読み取りがＯＫであれば（ステップＳ１０２のＹＥＳ）、読み取りを行い、自身のモードをマスター/スレーブ/シングルに設定する。
【００３３】
そして、ＳｌｏｔＡ２０１およびＳｌｏｔＢ２０２の両方に地上デジタルテレビチューナユニット（地上デジタルテレビチューナボード）が実装（接続）されていると、ステップＳ１０２でＣＰＵ１０１によって判別された場合は、ステップＳ１０３に遷移し、ＳｌｏｔＡ２０１およびＳｌｏｔＢ２０２のモード設定用信号[１:０]の出力はそれぞれ１０ｂ（Ｍａｓｔｅｒ）、０１ｂ（Ｓｌａｖｅ）に設定される。また、ＳｌｏｔＡ２０１がマスター、ＳｌｏｔＢ２０２がスレーブとして動作する（ステップＳ１０３）。
【００３４】
一方、ＳｌｏｔＡ２０１またはＳｌｏｔＢ２０２のどちらか一方に地上デジタルテレビチューナユニット（地上デジタルテレビチューナボード）が実装（接続）されていると、ステップＳ１０２でＣＰＵ１０１によって判別された場合は、ステップＳ１０４に遷移する。ＳｌｏｔＡ２０１に地上デジタルテレビチューナユニットが実装されていると判別された場合は、ＳｌｏｔＡ２０１のモード設定用信号[１:０]の出力は００ｂ（Single）となる。そして、ＳｌｏｔＡ２０１はシングルモードに設定される。また、ＳｌｏｔＢ２０２に地上デジタルテレビチューナユニットが実装されていると判別された場合は、ＳｌｏｔＢ２０２のモード設定用信号[１:０]の出力は００ｂ（Single）となる。そして、ＳｌｏｔＢ２０２はシングルモードに設定される（ステップＳ１０４）。
【００３５】
なお、地上デジタルテレビチューナユニットがスロットに実装された場合は、当該スロットからＤＥＴ信号が出力される。この場合、ユニット側ではプルダウンする。（プルダウン抵抗値Ｒ＿ＤＥＴは、動作モード設定回路（ＤＥＴ＿Ａ、ＤＥＴ＿Ｂ信号)のプルアップ抵抗値Ｒ＿ＤＥＴ＿Ａ、Ｒ＿ＤＥＴ＿Ｂより十分大きな値)。このため、動作モード設定回路のＤＥＴ＿Ａ（ＤＥＴ＿Ｂ)信号は、スロットにユニットが実装されない場合Ｈｉｇｈ、スロットにユニットが実装された場合Ｌｏｗとなる。
【００３６】
上記の説明のように本発明の一実施形態によれば、マスターおよびスレーブ設定された２つのスロットの内、１つのスロットのみにデジタルＴＶチューナユニットを接続する場合であっても、両方のスロットを区別することなくデジタルＴＶチューナーを接続することができる。すなわち、スレーブ側のみにデジタルＴＶチューナーを接続した場合にもシングルモードで操作させる設定を行うことにより、使用が可能となる。これにより、２つのスロットを備えたパーソナルコンピュータにおいて、ノイズの発生等の事情によりスレーブ側のみにデジタルＴＶチューナユニットを接続したいと望む場合にも対応することができる。
【００３７】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００３８】
【図１】本発明の一実施形態に係るコンピュータの概観を示す斜視図。
【図２】本発明の一実施形態に係るコンピュータのシステム構成の例を示すブロック図。
【図３】本発明の一実施形態に係る動作モード設定回路の構成等を示したブロック図。
【図４】各スロットに地上デジタルテレビチューナユニットが実装される組み合わせと各スロットに実装されたユニットのモード設定用信号[１:０]の対応を示す模式図。
【図５】ＳｌｏｔＡ、ＳｌｏｔＢに地上デジタルテレビチューナボードが接続された場合のＮＯＲゲート出力、ＳｌｏｔＡおよびＳｌｏｔＢのモード設定用信号[１:０]の出力について示した模式図。
【図６】本発明の一実施形態に係るコンピュータを適用した設定制御方法を示したフローチャート。
【符号の説明】
【００３９】
１０…コンピュータ、１０９…ＢＩＯＳ−ＲＯＭ、１０１…ＣＰＵ、１１１…ＨＤＤ、１１３…主メモリ、１１６…ＥＣ／ＫＢＣ、２００…Ｂ−ＣＡＳユニット、２０１…ＳｌｏｔＡ、２０２…ＳｌｏｔＢ、２０５…動作モード設定回路、２０３，２０４…地上デジタルチューナーボード。
【図１】
2008287664.tif 000003
【図２】
2008287664.tif 000004
【図３】
2008287664.tif 000005
【図４】
2008287664.tif 000006
【図５】
2008287664.tif 000007
【図６】
2008287664.tif 000008